(57)【特許請求の範囲】
【請求項１】
ガムを収納して販売するためのカートンであって、角筒状をしたスリーブ状の外箱とそれにスライド可能に挿入される内箱とからなり、内箱には一部を折曲げ部として残した切込により挟持パネルが区画されており、内箱は挟持パネルの下側にガムの包み紙の一部を差し込んだ状態で外箱に挿入してセットされることを特徴とするカートン。
【請求項２】
内箱には内箱を外箱から一定の距離を引き出した時に外箱から露出する中身取出し用の開口が設けられていることを特徴とする請求項１に記載のカートン。
【発明の詳細な説明】
【技術分野】
【０００１】
本発明は、紙器用の板紙等からなるカートンの技術分野に属し、詳しくは、菓子である粒状のガムを収納して販売するために用いられるカートンに関するものである。
【背景技術】
【０００２】
従来、菓子である粒状のガムを販売する形態として、板紙製のカートンに複数個のガムを入れて包装したものがある。このようにガムをカートンに収納した販売形態では、ガムが個別に包装されていない場合があるが、噛み終えたガムを包んで捨てるための包装紙がなくて困るため、複数枚の包み紙を一体的に取り付けたカートンが知られている。
【０００３】
【特許文献１】実開平６−６７３１４号公報
【特許文献２】特開平９−２５５０３５号公報
【特許文献３】特開２００６−２１８２１号公報
【発明の開示】
【発明が解決しようとする課題】
【０００４】
上記した特許文献１，２に記載のカートンは、束にした複数枚の捨て紙をカートンの外側に貼着しているため、剥がして使用するのは簡単であるが、携帯時に何かに当たって剥がれてしまう恐れがある。また、カートンの外側に取り付けているだけなので、見栄えが悪く、取付けに用いる接着剤によって汚れを生じることもある。さらには、取り付ける際に位置合わせが必要であるため、人手によるとしても手間が掛かってしまう。
【０００５】
一方、特許文献３に記載のカートンは、下面板と内方下面板との間に形成された空間に包み紙を差し込んで収容するようにしているので、接着せずに取り付けることができ、また収容した状態で全体が露出することはないが、カートンを組み立てた後にできた空間に包み紙を差し込んで収容するため、カートンに対する包み紙の取付けが面倒であり、取り付けた包み紙の取外しもそれほど簡単ではない。
【０００６】
本発明は、このような問題点に鑑みてなされたものであり、その目的とするところは、包み紙を一体化していながら、その包み紙の取付けが簡単で、取り付けた状態での見栄えに影響を与えることなく、しかも取り付けた包み紙を簡単に外して使用できるようにしたカートンを提供することにある。
【課題を解決するための手段】
【０００７】
上記の目的を達成するため、本発明のカートンは、ガムを収納して販売するためのカートンであって、角筒状をしたスリーブ状の外箱とそれにスライド可能に挿入される内箱とからなり、内箱には一部を折曲げ部として残した切込により挟持パネルが区画されており、内箱は挟持パネルの下側にガムの包み紙の一部を差し込んだ状態で外箱に挿入してセットされることを特徴としている。
【０００８】
そして、上記構成のカートンにおいて、内箱には内箱を外箱から一定の距離を引き出した時に外箱から露出する中身取出し用の開口が設けられているようにしてもよい。
【発明の効果】
【０００９】
本発明のカートンは、内箱の挟持パネルの下側にガムの包み紙を差し込んだ状態で外箱に挿入してセットするので、接着剤を用いることなく、包み紙を簡単に取り付けることができる。また、取付け状態では、包み紙が内箱と外箱の隙間に隠れた状態になるので、見栄えに影響を与えることがない。そして、使用時には中箱を外箱から引き出し、包み紙を露出させて簡単に取り出して使用することができる。
【発明を実施するための最良の形態】
【００１０】
次に、本発明の実施の形態について図面を参照しながら詳細に説明する。
【００１１】
図１は本発明に係るカートンを構成する外箱と内箱をそれぞれ表向きとして離間状態で示す斜視図、図２は同じく裏向きとして離間状態で示す斜視図であり、これらの図に示す外箱１０は図３にその展開図を示すブランクＡからなり、内箱２０は図４にその展開図を示すブランクＢからなる。これらのブランクＡ，Ｂは、内箱２０が外箱１０の中に挿入可能でしかも外箱１０の中をスライドできるように各部分のサイズが決められている。
【００１２】
図３に示すブランクＡは、紙器用の板紙を打ち抜いて形成されたもので、側板１１、上板１２、側板１３、下板１４及び糊代板１５が折線を介して順次連設されており、上板１２と各側板１１，１３との連設部における前方寄りのところにそれぞれ所定長さの切込線ａが設けられている。この一対の切込線ａは、上板１２からそれぞれ側板１１，１３に向けて僅かに突き出た状態で形成されており、連設部を折り曲げると、図１及び図２に示すように上板１２の両サイドに小幅の凸片１２ａが庇のように突き出るとともに、その凸片１２ａの下側にスリットが形成されるようになっている。また、上板１２の前方には内箱を引き出しやすくするための切欠部１２ｂが形成されている。
【００１３】
図４に示すブランクＢは、ブランクＡと同様に紙器用の板紙を打ち抜いて形成されたもので、側板２１、天板２２、側板２３、底板２４及び糊代板２５が折線を介して順次連設されており、天板２２の前後にそれぞれ折線を介して前方端板２６と後方端板２７が連設され、これら前方端板２６と後方端板２７の先端にはそれぞれ差込みフラップ２８，２９が連設されており、側板２１の前後には折曲げフラップ２１ａ，２１ｂが、側板２３の前後には折曲げフラップ２３ａ，２３ｂが連設されている。
【００１４】
そして、天板２２と各側板２１，２３との連設部における中程のところにそれぞれ「フ」型とその反対向きの切込線ｂが向かい合って設けられており、連設部の折線を折り曲げるとこれらの切込線ｂによって図１及び図２に示すように２つの楔状突出部分２２ａが形成されるようになっている。これらの楔状突出部分２２ａは、外箱１０の中に内箱２０をセットした時に、外箱１０の切込線ａで形成されるスリットに入り込んだ状態となり、内箱２０は外箱１０から一定の距離だけ引き出すことができるようになっている。すなわち、天板２２の楔状突出部分２２ａがスリットの前方端部に当接するところまで引き出すことができる。また、一方の側板２３には中身取出し用の開口αが設けられており、この開口αは、内箱２０を外箱１０から一定の距離を引き出した時に外箱１０から露出する位置に設けられている。
【００１５】
ブランクＢの前方端板２６は、横幅が天板２２より僅かに大きくされており、内箱２０を外箱１０に挿入してスライドさせて閉じた時に、前方端板２６の左右が外箱１０における側板１１，１３の端縁外側に当たるようになっている。このようにカートンを閉じると内箱２０の前方側板２６が外箱１０の側板１１，１３に当接するが、天板２２の楔状突出部分２２ａがスリットの後方端部に当接するのと略同時である。
【００１６】
また、前方端板２６と天板２２との境界には天板２２の方に向けて僅かに突き出た状態で切込線ｃが形成されており、境界部分の折線を折り曲げると図１及び図２に示すように前方端板２６の上辺に小さな凸片２６ａが突き出るようになっており、切込線ｃはそれによって突き出る凸片２６ａが外箱１０の上板１２にある切欠部１２ａの前方に位置するように形成されている。
【００１７】
さらに、ブランクＢにおける底板２４の中程には、横方向の折線を折曲げ部ｍとして残した挟持パネル２４ａが区画されている。この挟持パネル２４ａは、折曲げ部ｍの両端からそれぞれ外向きに拡がって折曲げ部ｍと平行な補助折線ｎの両端まで至り、その補助折線ｎの両端からそれぞれ縦方向に伸び、それらの先端同士が横方向に連結されたコの字状の切込線の中に、折曲げ部ｍと反対側に切抜部βを有する形状で形成されており、しかもその先端縁は中央が湾曲状に窪んだ形状になっている。また、底板２４と側板２３との連設部における中程のところに短い切込線ｄが設けられ、底板２４と糊代板２５との連設部における前方寄りのところに所定長さの切込線ｅが設けられており、連設部を折り曲げると、図１及び図２に示すように底板２４の両サイドにて小幅の凸片２３ｃ，２５ａが上向きに突き出るようになっている。
【００１８】
これらのブランクＡ，Ｂから図５に示す如きカートンＣを形成するが、まずブランクＡ，Ｂで外箱１０と内箱２０を別々に組み立てる。
【００１９】
ブランクＡで外箱１０を組み立てるには、糊代板１５を側板１１の裏側に貼着してサック貼りし、これを角筒状に起こせばよい。一方、ブランクＢを組み立てて内箱２０を形成するには、まず、糊代板２５を側板２１の裏側に貼着してサック貼りし、これを角筒状に起こした状態から、折曲げフラップ２１ｂ、２３ｂを内側に折り曲げて差込みフラップ２９を差し込むようにして後方端板２７で蓋をする。このように後部を閉じてから開いている前部から内容物を充填し、折曲げフラップ２１ａ、２３ａを内側に折り曲げて差込みフラップ２８を差し込むようにして前方端板２６で蓋をする。
【００２０】
外箱１０と内箱２０を組み立てた後、図６に示すように、内箱２０における底板２４の上に束になった包み紙Ｐをセットし、外箱１０の前方から内箱２０を差し込む。この場合、包み紙Ｐは、図示のように、挟持パネル２４ａの下側にその一部を差し込んだ状態でセットするが、底板２４の両サイドに小幅の凸片２３ｃ，２５ａが上向きに突き出ているので、左右も拘束されて全体がずれない状態となる。
【００２１】
このように、包み紙Ｐをセットした内箱２０を外箱１０の前方から差し込むことにより、内箱２０はその天板２２両サイドにある楔状突出部分２２ａが外箱１０の凸片１２ａのところにある各スリットにそれぞれ入り込んだ状態で図７に示す如く外箱１０の中にセットされる。すなわち、内箱２０の楔状突出部分２２ａは、僅かに変形した状態で外箱１０の内面に接しながらスリットのところまで到達し、スリットに入り込むと変形が元に戻るように拡がった状態となり、これによって内箱２０は外箱１０の中に摺動可能な状態でセットされ、図５に示すカートンＣが完成する。このように、内容物を充填した内箱２０を外箱１０の一端より差し込むことで簡単に両者を一体化することができる。
【００２２】
図５のカートンＣから内容物を取り出すには、外箱１０の上板１２における切欠部１２ｂに指先を入れ、前方端板２６の上部に形成された凸片２６ａを前方へ押し出すことで内箱２０を引き出す。或いは、前方端板２６の両サイドを摘んで内箱２０を引き出す。或いは、後方端板２７を前方に向けて押すことで内箱２０を押し出す。これにより、図８及び図９に示すように、楔状突出部分２２ａがスリットの前端部に当接するところまで内箱２０が引き出され、その時、図８の如く内箱２０の開口αが露出するので、ここから内容物を振り出すことができる。また、包み紙Ｐを使用するときは、図９の如く露出した包み紙Ｐを取り出すことができる。また、内容物の取出し後や包み紙Ｐの取外し後に内箱２０を閉じる時は、前方端板２６を押して内箱２０を外箱１０の中に押し込むと、前方側板２６が外箱１０の側板１１，１３に当接するか、これと略同時に天板２２の楔状突出部分２２ａがスリットの後方端部に当接して、図５及び図７に示す状態に戻る。
【００２３】
以上、本発明の実施の形態について詳細に説明してきたが、本発明によるカートンは、上記実施の形態に何ら限定されるものではなく、本発明の趣旨を逸脱しない範囲において種々の変更が可能であることは当然のことである。
【００２４】
例えば、上記の例では、カートンを構成する外箱と内箱をそれぞれ紙器用の板紙で形成したが、これらは両方とも或いは片方だけをプラスチック製シートで形成してもよい。
【００２５】
また、上記の例では、中身取出し用の開口αを内箱２０における一方の側板２３に設けたが、この開口は左右どちらの側板に設けてもよいし、両方にあっても構わないものである。また、底板２４に設けるようにしてもよい。
【図面の簡単な説明】
【００２６】
【図１】本発明に係るカートンを構成する外箱と内箱をそれぞれ表向きとして離間状態で示す斜視図である。
【図２】本発明に係るカートンを構成する外箱と内箱をそれぞれ裏向きとして離間状態で示す斜視図である。
【図３】図１，２に示すカートンの外箱を形成するブランクの展開図である。
【図４】図１，２に示すカートンの内箱を形成するブランクの展開図である。
【図５】組み立てたカートンを表側から見た状態で示す斜視図である。
【図６】カートンを組み立てる途中の様子を示す斜視図である。
【図７】組み立てたカートンを裏側から見た状態で示す斜視図である。
【図８】開けたカートンを表側から見た状態で示す斜視図である。
【図９】開けたカートンを裏側から見た状態で示す斜視図である。
【符号の説明】
【００２７】
Ａ，Ｂ  ブランク
Ｃ  カートン
Ｐ  包み紙
ａ，ｂ，ｃ，ｄ，ｅ  切込線
ｍ  折曲げ部
ｎ  補助折線
α  開口
β  切抜部
１０  外箱
１１  側板
１２  上板
１２ａ  凸片
１２ｂ  切欠部
１３  側板
１４  下板
１５  糊代板
２０  内箱
２１  側板
２１ａ，２２ｂ  折曲げフラップ
２２  天板
２２ａ  楔状突出部分
２３  側板
２３ａ，２３ｂ  折曲げフラップ
２３ｃ  凸片
２４  底板
２４ａ  挟持パネル
２５  糊代板
２５ａ  凸片
２６  前方端板
２６ａ  凸片
２７  後方端板
２８，２９  差込みフラップ
【図１】
0005050765.tif 000002
【図２】
0005050765.tif 000003
【図３】
0005050765.tif 000004
【図４】
0005050765.tif 000005
【図５】
0005050765.tif 000006
【図６】
0005050765.tif 000007
【図７】
0005050765.tif 000008
【図８】
0005050765.tif 000009
【図９】
0005050765.tif 000010